(57)【特許請求の範囲】
【請求項１】
複数対の心線からなるケーブル端に接続したケーブル用コネクタの端子にそれぞれ接続する複数対のテスター用接続ピンを有し、その対のテスター用接続ピン間に検出電流を通して、ケーブルの各回線の接続断線を検出するＰＡＴコネクタテスターにおいて、コネクタテスター本体に、地下用ケーブルコネクタを受ける地下用コネクタ受溝と架空用ケーブルコネクタを受ける架空用コネクタ受溝とを並設すると共に、各コネクタ受溝内に、上記テスター用接続ピンを弾性的に出没自在に設けたことを特徴とするＰＡＴコネクタテスター。
【請求項２】
上記コネクタ受溝に、接続するＰＡＴコネクタの形状に対応させて接続方向性を持たせた鍵形係合溝を形成した請求項１記載のＰＡＴコネクタテスター。
【請求項３】
複数対の心線からなるケーブルの両端に接続したケーブル用コネクタの一方にＰＡＴコネクタテスターを接続し、そのケーブル用コネクタの反対側のコネクタに接続する終端回路網本体に、地下用ケーブルコネクタを受ける地下用コネクタ受溝と架空用ケーブルコネクタを受ける架空用コネクタ受溝とを並設すると共に、各コネクタ受溝内に、接続するケーブルコネクタの複数対の端子と対応させて接合する複数対の短絡した回路網用接続ピンを弾性的に出没自在に設けたことを特徴とするＰＡＴコネクタテスターの終端回路網。
【請求項４】
上記コネクタ受溝に、接続するＰＡＴコネクタの形状に対応させて接続方向性を持たせた鍵形係合溝を形成した請求項３記載のＰＡＴコネクタテスターの終端回路網。
【請求項５】
上記対の回路網用接続ピン間に所定の方向でダイオードを接続した請求項３記載のＰＡＴコネクタテスターの終端回路網。
【発明の詳細な説明】
【０００１】
【発明の属する技術分野】
本発明は、市内ＣＣＰケーブルなどをＰＡＴコネクタに接続作業後の接続確認をするＰＡＴコネクタテスターに係り、特に地下用ＰＡＴコネクタテスターと架空用ＰＡＴコネクタテスターとを兼用できるＰＡＴコネクタテスターに関するものである。
【０００２】
【従来の技術】
市内ケーブル、中継ケーブル、市街ケーブル等の通信、制御ケーブルにおいては、配線の作業性や保守性を良くするための種々の工夫がなされている。
【０００３】
例えば、市内加入者用ケーブルの場合、き線ケーブルは５０対、１００対又は２００対ユニットで構成され、配線ケーブルは全心線を色別した１０対ユニットで構成されている。また、配線ケーブルにはカラーコードにより色別されたＣＣＰケーブルが使用され、地下式の配線ケーブルにはＣＣＰケーブルにポリブデン系の混和物を充填したＣＣＰ−ＪＦケーブルが使用される。
【０００４】
また、マンホール内で行われる地下式の市内ケーブルの接続は、ＰＡＴコネクタ等を用いてＰＡＴ接続機のごとき所定の接続工具を使用し、心線１０対を１単位として行われる。そして心線１０対の先端をＰＡＴコネクタ等に圧入してワンアクションで行うことにより作業の迅速化を図っている。
【０００５】
しかし、全心線を色別したＣＣＰケーブル等であっても、その接続作業時に接続不良の心線が発生する時がある。例えば、ＰＡＴコネクタにＰＡＴ接続機で心線をワンアクションで圧入した場合、１０対の心線がコネクタの所定の接続箇所に２本挿入されてしまったり、また、心線が＋−逆に挿入されてしまうことがあり、こうなると接触不良を起こして断線状態になることがある。
【０００６】
そのため本発明者は、先に、パルス発生回路からのパルスによりシフトされるパルス・シフト回路と、複数回線分の接点部を有しその各回線接点部の一端が前記パルス・シフト回路の各シフト段の出力端子に接続されたコネクタ受と、このコネクタ受の各回線接点部の他端に接続した個別判定回路と、その個別判定回路の判定結果に基づいて回線の接続段線を表示する表示器とを設けた、図６に示すＰＡＴコネクタテスターを提案し、ＰＡＴコネクタとケーブル心線との接続不良を容易に検出できる検出装置を提供した。
【０００７】
【発明が解決しようとする課題】
しかしながら、架空用ケーブルコネクタと地下用ケーブルコネクタとではコネクタの大きさ、即ちケーブル心線間隔が異なるので、架空用と地下用の２種類のコネクタテスターを用いなければならず、作業員は架空用ケーブルコネクタの接続断線を検出するか、又は地下用ケーブルコネクタの接続断線を検出するかによって使用するテスター及びＣＣＰケーブルの終端を短絡させる終端回路網を使い分けなければならなかった。
【０００８】
また、ＰＡＴコネクタと接続ピンとを接合する際は図６に示すように、接続状態を維持するための固定部材４４によってケーブルコネクタ４２と接続ピンを有するコネクタ受４５とを固定した後、接続断線を検出し、検出が終わると固定部材４４からケーブルコネクタ４２を取り外していた。そのため、作業が煩雑になっていた。
【０００９】
そこで本発明は上記課題を解決するために鑑みてなされたものであり、地下用と架空用の２種類のケーブルコネクタを１台で測定でき、更に、測定の際のＰＡＴコネクタと接続ピンとの接合・取外しを容易にできるＰＡＴコネクタテスター及びその終端回路網を提供することを目的とする。
【００１０】
【課題を解決するための手段】
上記課題を解決するため請求項１の発明は、複数対の心線からなるケーブル端に接続したケーブル用コネクタの端子にそれぞれ接続する複数対のテスター用接続ピンを有し、その対のテスター用接続ピン間に検出電流を通して、ケーブルの各回線の接続断線を検出するＰＡＴコネクタテスターにおいて、コネクタテスター本体に、地下用ケーブルコネクタを受ける地下用コネクタ受溝と架空用ケーブルコネクタを受ける架空用コネクタ受溝とを並設すると共に、各コネクタ受溝内に、上記テスター用接続ピンを弾性的に出没自在に設けたものである。
【００１１】
請求項２の発明は、上記コネクタ受溝に、接続するＰＡＴコネクタの形状に対応させて接続方向性を持たせた鍵形係合溝を形成したＰＡＴコネクタテスターである。
【００１２】
請求項３の発明は、複数対の心線からなるケーブルの両端に接続したケーブル用コネクタの一方にＰＡＴコネクタテスターを接続し、そのケーブル用コネクタの反対側のコネクタに接続する終端回路網本体に、地下用ケーブルコネクタを受ける地下用コネクタ受溝と架空用ケーブルコネクタを受ける架空用コネクタ受溝とを並設すると共に、各コネクタ受溝内に、接続するケーブルコネクタの複数対の端子と対応させて接合する複数対の短絡した回路網用接続ピンを弾性的に出没自在に設けたものである。
【００１３】
請求項４の発明は、上記コネクタ受溝に、接続するＰＡＴコネクタの形状に対応させて接続方向性を持たせた鍵形係合溝を形成したＰＡＴコネクタテスターの終端回路網である。
【００１４】
請求項５の発明は、上記対の回路網用接続ピン間に所定の方向でダイオードを接続したものである。
【００１５】
上記構成によれば、地下用ケーブルコネクタの接続断線を検出するに際しては、二つコネクタ受溝の内、係合できる鍵形係合溝を選んで挿入するだけで地下用コネクタ受溝の所定の方向に地下用ケーブルコネクタを挿入できる。同様に、架空用ケーブルコネクタも、係合できる溝を選んで挿入するだけで架空用コネクタ受溝の所定の方向に架空用ケーブルコネクタを挿入できる。検査終了後はＰＡＴコネクタを引くだけで取外すことができる。
【００１６】
また、コネクタとテスター用接続ピンとを接続するに際しては、コネクタとコネクタ受溝が互いに係合した後、コネクタを押込むことで接続ピンの弾性により接続を完了する。従って、暗所で検出作業を行ってもコネクタの種類に関係なく容易にコネクタをコネクタ受溝に挿入させて接続できる。
【００１７】
さらに、接続断線検出時に、ケーブルとコネクタとの間に断線がなくても接続ミスがあるとダイオードの整流作用によりその接続ミス部分に対応する接続ピンに検出電流が通らないので、接続ミスも検出できる。
【００１８】
【発明の実施の形態】
本発明の好適実施の形態を添付図面に基づいて詳述する。
【００１９】
図１に本発明のＰＡＴコネクタテスターの外観図を示す。
【００２０】
図示するように、本発明のＰＡＴコネクタテスターは、箱形の本体ケーシング１の表面の上側に、架空用コネクタ受溝２と地下用コネクタ受溝３とが二列並べて設けられている。さらに、これらコネクタ受溝２，３の下側近傍に、試験結果を個別に表示するＬＥＤからなる個別判定表示器４を並設し、その個別判定表示器４下側には、上記コネクタ受溝２，３に係合させるケーブルコネクタの、心線との接続状態の適否を総合的に判断した結果を表示する総合判定表示器が、総合合格用表示器５と総合不合格用表示器６とに分けて設けられている。また、電源スイッチ７、スタートスイッチ８、リセットスイッチ９が適宜な位置に設けられている。
【００２１】
次にコネクタ受溝２，３を図２、図３と共に説明する。
【００２２】
図２に図１のＰＡＴコネクタテスターのＡ−Ａ線断面図を示し、図３に接続ピンにコネクタを接続した際の接続部分断面図を示す。
【００２３】
図２に示すように、コネクタ受溝２，３は、上記本体ケーシング１内に備えられた回路系に臨んで形成された穴１ａに覆設され、コネクタを所定の位置で受ける板状のストッパ部材１１と、そのストッパ部材１１を貫通して設けられ、コネクタ端子と接合される回線接点部である１０対のテスター用接続ピン１２…と、上記ストッパ部材１１の上に重ねられ、ケーブルコネクタの両端を挟んで支持する支持部材１３とから構成されている。
【００２４】
ストッパ部材１１は、測定するケーブルコネクタが押し付けられる圧力に耐え得る強度を有する板で形成され、ボルト１４で上記本体ケーシング１に締結されている。また、ストッパ部材１１の内部には、測定されるケーブルコネクタに設けられたＣＣＰケーブル接続端子４７…の間隔と等間隔で接続ピン挿入孔１１ａ…が二列平行に並べてそれぞれ１０対ずつ形成されている。その接続ピン挿入孔１１ａ…内には所定の高さの段差を設けて対の接続ピン１２…が挿入されている。
【００２５】
また、支持部材１３は、コネクタの両端を支持する二つのピースから構成されており、これらのピースのコネクタ支持面１７にはそれぞれのケーブルコネクタが所定の方向でしか係合しないように鍵形係合溝１８，１９が形成されている。また、それら係合溝１８，１９の上端１８ａは斜めに形成されている。この支持部材１３は、それら各ピースのコネクタ支持面１７を、コネクタの長手方向の間隔だけ隔ててストッパ部材１１にボルト１５で締結されている。
【００２６】
また、図３に示すように、接続ピン挿入孔１１ａ…の内、コネクタのオス側４２ａの端子４７に接続する接続ピン１２の挿入孔上端１１ｂは拡径して形成されており、コネクタ接続時に接続ピン１２の接合部を収容するようになっている。さらに、この接続ピン１２の上端面１２ａには凹凸が形成され、また接続ピン１２の下部に接続して挿入孔１１ａ内に導電性のばね４６が収納されている。そしてこのばね４６の下端には後述する各シフト段の出力端子に接続されたＣＣＰケーブル４３の心線が接続されている。
【００２７】
次に、図４に本発明のＰＡＴコネクタテスター内部の電気回路のブロック図を示す。Ａは装置内部を、Ｂは外部を、Ｃは局側を示す。
【００２８】
パルス発生回路３１は、スタート・リセット回路３４を介して、スタートスイッチ８及びリセットスイッチ９に接続されると共に、発生させたパルスを分割するパルス・シフト回路３２に接続される。そのパルス・シフト回路３２の各シフト段の出力端子１，２，３，…１０は、それぞれのバッファ増幅器３３を介して架空用コネクタ受溝２及び地下用コネクタ受溝３の対応する番号の接続ピン１２のプラス側ばね４６ｐに接続され、また、シフト段の出力端子とバッファ増幅器３３との間で分岐させ、バッファ増幅器３３を介さずに直接個別判定回路３５の入力端に接続される。
【００２９】
個別判定回路３５の入力端を接続ピン１２のマイナス側ばね４６ｎに接続し、個別判定回路３５の出力端をドライバ３６を介して図１に示す個別判定表示器４に接続する。
【００３０】
総合判定回路３７は、各シフト段からのパルスを個別に入力する入力端と、これら各シフト段からのパルスによって異なる二方向に出力する論理回路とで構成され、これら入力端はそれぞれの個別判定回路３５…の出力端に接続されている。また、これら全ての入力端にパルスが入力された時にパルスを出力する方の出力端は総合合格表示器５に接続され、一つでも入力パルスが欠けた時にパルスを出力する方の出力端は総合不合格表示器６に接続される。他方、これら入力端とは別に、他の入力端としてパルス・シフト回路３２のシフト段の出力端子１０とも接続する。
【００３１】
次に、図５に、局側Ｃに接続される本発明の終端回路網を示す。
【００３２】
終端回路網４１は、上述したテスター用接続ピン１２に接続されるケーブルコネクタ４２の、ＣＣＰケーブル４３を介してＰＡＴコネクタテスターと反対側のコネクタ４２に接続される。
【００３３】
図示するように、終端回路網４１は、上述したコネクタテスターのコネクタ受溝２，３、鍵形係合溝１８，１９及びテスター用接続ピン１２と同様に、回路網本体５０の上面にコネクタ受溝５２，５３と、この受溝５２，５３ごとに１０対の回路網用接続ピン５４…と、鍵形係合溝５８，５９とから構成されている。
【００３４】
これら対の接続ピン５４は上段ピン５４ｈと下段ピン５４ｌとからなり、これら上段ピン５４ｈと下段ピン５４ｌとの間には、上段ピン５４ｈから下段ピン５４ｌの方向、すなわちＣＣＰケーブル４３に所定の方向で電流が流れるようにダイオード４８が接続されている。従って、図４に示す各段から出力したパルスがＣＣＰケーブル４３及び終端回路網４１を介して個別判定回路３５に入力できるようになっている。
【００３５】
次に、地下用ケーブルコネクタと架空用ケーブルコネクタの接続断線の検出方法を説明する。これらケーブルコネクタの接続断線検出方法は同じなので、地下用ケーブルコネクタの接続断線の検出についてのみ説明する。尚、ケーブルを介してテスターの反対側のケーブル終端が電気的に接続されていない場合は、始めに終端回路網４１を接続する。
【００３６】
地下用ケーブルコネクタの接続断線を検出するに際しては、先ず、図１に示す電源スイッチ７をＯＮにしてスタートスイッチ８を押すことにより、スタート・リセット回路が接続状態を記憶すると共に、検出電流がパルス発生回路３１に流れ続け、パルス発生回路３１からパルスとなってパルス・シフト回路３２に流れる。そして、パルス・シフト回路３２によってパルスは、１０分割されながら、出力端子１，２，３，…１０より順次に各回線１〜１０に送られる。
【００３７】
断線検査するケーブルコネクタ４２を地下用コネクタ受溝３に挿入するに際しては、ケーブルコネクタ４２は鍵形係合溝１８の上端１８ａと接触しながら上端１８ａの斜め形状により支持部材１３の中央に案内される。コネクタ４２をさらに挿入すると、１０対の接続ピン１２…がケーブルコネクタ４２の接続端子４７…と接続すると共に、支持部材１３の鍵形係合溝１８にコネクタ４２の両端が係合されて支持される。この時、接続ピン上端面１２ａの凹凸形状とばね４６との作用により、コネクタの挿入方向の傾きが緩和され、確実に接続ピン１２と接続端子４７とが接続されることとなる。
【００３８】
コネクタ接続後、それぞれのバッファ増幅器３３、接続ピン１２、測定されるケーブルコネクタ４２、及び終端回路網４１を介して通過したパルスは、個別判定回路３５で、パルス・シフト回路３２から直接入るパルスと同期させられて識別される。
【００３９】
この時、コネクタとケーブルとの間や回線内に断線がなく正常ならば、この接続ピン１２の一端から出たパルスはコネクタ受溝２，３の各回線ごとの接続ピン１２の他端に戻ってくるので、個別判定回路３５に直接入るパルスと同期し、ドライバ３６を介して個別判定表示器４が点灯表示する。また、回線に断線があれば、この接続ピン１２の一端から出たパルスはコネクタ受溝２，３の各回線ごとの接続ピン１２の他端に入力しないので、個別判定表示器４は点灯しない。更に、接続断線が無くても、コネクタとケーブルに接続ミスが有れば、終端回路網４１のダイオード４８が電流を整流するので、この接続ピン１２の一端から出たパルスはコネクタ受溝２，３の各回線ごとの接続ピン１２の他端に入力せず、個別判定表示器４は点灯しない。
【００４０】
そして、総合判定回路３７は、全ての個別判定回路３５の出力信号を受け、上記パルス・シフト回路３２から直接入るパルスと同期させて識別する。すなわち、全ての回線からパルスが入力された場合には総合合格表示器５を点灯させ、１個でも入力パルスが不足した場合は総合不合格表示器６を点灯させる。
【００４１】
検査が終了した際には、リセットスイッチ９をＯＮしてスタート・リセット回路３４により全系統をリセットし、未検査のケーブルコネクタを検査済みケーブルコネクタと取り替える。
【００４２】
このようにして、再度スタートスイッチ８を押すことにより、連続して複数のコネクタについての接続断線の判別ができる。
【００４３】
また、ＣＣＰケーブル４３…は全体で計２４００対あり、従ってコネクタは合計２４０個存在するが、このうち１つのコネクタにおける心線１０対の接続良否が、容易かつ一度に試験できることになる。
【００４４】
また、支持部材１３には鍵形係合溝１８を形成したので、所定のコネクタが所定の方向でしか係合しないので接続を間違えることがなく、接続ピン挿入孔１１ａにばね４６を設けたので、そのばね４６の弾性作用により、コネクタ４２を鍵形係合溝１８に係合させて押込むだけで確実に接続ピン１２とコネクタの接続端子４７とを接続できるので、暗所でも作業できる。
【００４５】
更に、地下用ケーブルコネクタと架空用ケーブルコネクタとを並設すると共に、それらの支持部材１３はケーブルコネクタ４２を両端のみで支持するので、コネクタ４２の挿入抜取時に、並設した他列の接続ピン１２及び支持部材１３が障害にならないので、地下用ケーブルコネクタテスターと架空用ケーブルコネクタテスターとを兼用できる。
【００４６】
【発明の効果】
以上要するに本発明によれば、地下用と架空用の２種類のケーブルコネクタを１台で測定でき、更に、測定の際のＰＡＴコネクタと接続ピンとの接合・取外しを容易にできる。従って、ＰＡＴコネクタテスターを小形軽量化できる。
【００４７】
また、鍵形係合溝を設けたので、作業場所が暗所であっても正確にコネクタの端子と接続ピンとを接続できる。
【００４８】
更に、対の接続ピン間にダイオードを設けたので、接続ミスを検出できる。
【図面の簡単な説明】
【図１】本発明のＰＡＴコネクタテスターを示す外観図である。
【図２】図１のＡ−Ａ線断面図である。
【図３】接続ピンにコネクタを接続した際の接続部分を示す部分断面図である。
【図４】本発明のＰＡＴコネクタテスター内部の電気回路のブロック図である。
【図５】本発明の終端回路網を示す斜視図である。
【図６】従来のＰＡＴコネクタテスターを示す外観図である。
【符号の説明】
１  本体ケーシング
２  架空用コネクタ受溝
３  地下用コネクタ受溝
１２  テスター用接続ピン
１８  鍵形係合溝
１９  鍵形係合溝
４１  終端回路網
４８  ダイオード
５２  架空用コネクタ受溝
５３  地下用コネクタ受溝
５４  回路網用接続ピン
５８  鍵形係合溝
５９  鍵形係合溝
【図１】
0003605228.tif 000002
【図２】
0003605228.tif 000003
【図３】
0003605228.tif 000004
【図４】
0003605228.tif 000005
【図５】
0003605228.tif 000006
【図６】
0003605228.tif 000007